(57)【要約】【課題】携帯電話において、軽量化、消費電力の低下、低コスト化などのニーズに反することなく、適切に着信を通知する。【解決手段】携帯電話１００は、カメラ付き携帯電話であって、異なる種類の着信音を出力するスピーカ１０６と、着信音を表わすデータを記憶する記憶部１０８と、着信が検知されたことに応答してカメラ１０４により検知された照度に基づいて、音階及び音量のいずれかが異なる着信音を出力するように、スピーカ１０６を制御する制御部１０２とを含む。【選択図】        図１
2004159010.tif 000002
【特許請求の範囲】
【請求項１】
カメラ付き携帯電話において、
他の通信装置と通信するための通信手段と、
異なる種類の着信音を出力するための出力手段と、
前記着信音を前記出力手段に出力するために使用するデータを記憶するための記憶手段と、
前記カメラが検出した照度に基づいて、音階および音量のいずれかが異なる着信音を出力するように、前記記憶手段に記憶されたデータを使用して前記出力手段を制御するための制御手段とを含む、携帯電話。
【請求項２】
前記携帯電話は、前記通信手段により着信が検知されたことに応答して、前記カメラにより照度を検知するための手段をさらに含む、請求項１に記載の携帯電話。
【請求項３】
前記制御手段は、前記照度の値が予め定められた値より小さいことに基づいて、前記出力手段を制御するための手段を含む、請求項１または２に記載の携帯電話。
【請求項４】
前記制御手段は、前記照度の値が予め定められた値より小さいと、前記予め定められた値以上の場合に比べ、高い音を多く含む着信音を出力するように前記出力手段を制御するための手段を含む、請求項３に記載の携帯電話。
【請求項５】
前記制御手段は、前記照度の値が予め定められた値より小さいと、前記照度の値が予め定められた値を上回る場合より大きな音量の着信音を出力するように、前記出力手段を制御するための手段を含む、請求項３または４に記載の携帯電話。
【請求項６】
カメラ付き携帯電話において、
他の通信装置と通信する通信ステップと、
前記カメラにより照度を検出する検知ステップと、
異なる種類の着信音を出力する出力ステップと、
前記着信音を前記出力手段に出力するために使用するデータを記憶する記憶ステップと、
前記検知ステップにおいて検出された照度に基づいて、音階および音量のいずれかが異なる着信音を出力するように、前記記憶ステップにおいて記憶されたデータを使用して前記出力ステップを制御する制御ステップとを含む、携帯電話の制御方法。
【発明の詳細な説明】
【０００１】
【発明の属する技術分野】
本発明は、携帯電話の制御に関し、特に、音声通話の着信またはメールの着信があった場合の制御に関する。
【０００２】
【従来の技術】
従来の携帯電話において、着信（音声通話の着信またはメールの着信を含む）をユーザに通知する方法として、内蔵するスピーカを用いて着信音を鳴らす方法や、内蔵する振動装置で振動を発生させる方法などがある。ユーザの注意を促すという点で、前者は携帯電話がポケットなどの外にある場合に優れており、後者はポケットなどの中にある場合に優れている。ポケットなどの中では、音波がポケットなどの素材に吸収されるため、着信音は聞こえにくいからである。したがって、携帯電話の収納場所によって、適切な方法で着信が通知されるように、ユーザは携帯電話の設定を切替える必要があった。
【０００３】
特開平１１−１６８７６９号公報（特許文献１）は、自動的にそのような設定を切替える技術を開示する。この公報に開示された携帯電話は、携帯電話の周囲の明暗状況を検出する光検出回路と、光検出回路が出力する照度変化の信号に応じて、着信機能の自動選択処理を行なう制御回路とを含む。自動選択処理とは、携帯電話の動作状態とサービスの設定動作とを切替える処理をいう。
【０００４】
この携帯電話によると、ユーザが着信に応答ができるか否かを周囲の明暗状況に応じて自動的に判断する。カバンの中に入っているなどにより、周囲が暗い場合には携帯電話の留守電機能などを設定し、周囲が明るい場合には通常の着信機能を設定することができる。
【０００５】
特開平５−１０３０５３号公報（特許文献２）は、電話装置において着信を通知する方法を切替える技術を開示する。この公報に開示された電話機用呼出し装置は、スピーカおよび発光回路のいずれかで着信呼出しを行なう呼出し回路と、本体あるいは本体の一部を振動させて着信呼出しを行なう振動回路と、周囲の照度を検出する検出回路と、検出回路が検出した照度が予め定めた値以下の場合に、振動回路を選択して、振動による呼出しを行なうための選択回路とを含む。
【０００６】
この発明によると、周囲の照度を検出して、電話機用呼出し装置が置かれた状態を識別し、選択回路が振動回路を自動的に選択して振動による呼出しを行なう。このため、利用者は周囲の明暗に応じて容易に着信を知ることができる。
【０００７】
【特許文献１】
特開平１１−１６８７６９号公報（第５−１１頁）
【０００８】
【特許文献２】
特開平５−１０３０５３号公報（第２頁、第１図）
【０００９】
【発明が解決しようとする課題】
しかし、これらの公報に記載された発明においては、いずれも照度を検知するためのデバイスを新たに設ける必要がある。軽量化、消費電力の低下、低コスト化が強く求められている携帯電話において、新たなデバイスを追加して、重量を増加させたり、多くの電力を消費させたり、コストを上昇させたりすることはニーズに反する。
【００１０】
本発明は、上述の問題点を解決するためになされたものであって、その目的は軽量化、消費電力の低下、低コスト化などのニーズに反することなく、適切に着信が通知される、携帯電話および携帯電話の制御方法を提供することである。
【００１１】
【課題を解決するための手段】
第１の発明に係る携帯電話は、カメラ付き携帯電話において、他の通信装置と通信するための通信手段と、異なる種類の着信音を出力するための出力手段と、着信音を出力手段に出力するために使用するデータを記憶するための記憶手段と、カメラが検出した照度に基づいて、音階および音量のいずれかが異なる着信音を出力するように、記憶手段に記憶されたデータを使用して出力手段を制御するための制御手段とを含む。
【００１２】
第１の発明によると、制御手段は、カメラにより検知された照度に基づいて、記憶手段に記憶されたデータを用いて、出力手段を制御して、着信音を出力する。これにより、カメラが検知した照度に基づいて、異なる着信音を出力することができる。カメラが照度を検出するので、照度を検出するためのデバイスを設ける必要がなくなる。その結果、軽量化、低コスト化などのニーズに反することなく、適切に着信を通知できる、携帯電話を提供することができる。
【００１３】
第２の発明に係る携帯電話は、第１の発明の構成に加えて、携帯電話は、通信手段により着信が検知されたことに応答して、カメラにより照度を検知するための手段をさらに含む。
【００１４】
第２の発明によると、着信が検知されたことに応答して、カメラが照度を検知するように制御される。これにより、カメラによる照度の検知は、ごく限られた時間においてのみ行なわれる。照度の検知が、ごく限られた時間においてのみ行なわれるので、照度の検知に要する電力は少なくなる。その結果、軽量化、消費電力の低下、低コスト化などのニーズに反することなく、適切に着信を通知できる携帯電話を提供することができる。
【００１５】
第３の発明に係る携帯電話は、第１または第２の発明の構成に加えて、制御手段は、照度の値が予め定められた値より小さいことに基づいて、出力手段を制御するための手段を含む。
【００１６】
第３の発明によると、制御手段は、カメラが検出した照度の値が、予め定められた値より小さいことに基づいて、出力手段を制御する。一般に携帯電話がカバンなどに入れられている状態で着信があったとき、着信音は聞き取りにくくなる。このような場合、携帯電話がカバンの外にあるときと異なる着信音を用いてユーザに着信を知らせることで、より着信に気づきやすくすることができる。その結果、軽量化、消費電力の低下、低コスト化などのニーズに反することなく、カバンなどの中で着信があっても、適切に着信を通知できる、携帯電話を提供することができる。
【００１７】
第４の発明に係る携帯電話は、第３の発明の構成に加えて、制御手段は、照度の値が予め定められた値より小さいと、予め定められた値以上の場合に比べ、高い音を多く含む着信音を出力するように出力手段を制御するための手段を含む。
【００１８】
第４の発明によると、制御手段は、高い音の着信音が出力されるように、出力手段を制御する。同じ音量であっても、高い音はより強く感じられることがある。これにより、同じ音量の着信音を出力しても、より大きい音量の着信音を出力したのと同様の効果が得られる。そのような効果が得られるので、ユーザはより着信音に気づきやすくなる。その結果、軽量化、消費電力の低下、低コスト化などのニーズに反することなく、カバンなどの中で着信があっても、より気づきやすい音で着信を通知できる、携帯電話を提供することができる。
【００１９】
第５の発明に係る携帯電話は、第３または第４の発明の構成に加えて、制御手段は、照度の値が予め定められた値より小さいと、照度の値が予め定められた値を上回る場合より大きな音量の着信音を出力するように、出力手段を制御するための手段を含む。
【００２０】
第５の発明によると、制御手段は、照度の値が予め定めた値より小さいことに基づいて、照度の値が予め定めた値を上回る場合より大きな音量の着信音が出力されるように、出力手段を制御する。これにより、ユーザはより着信音に気づきやすくなる。その結果、携帯電話がカバンなどの中にあるときに着信があっても、より着信に気づきやすい携帯電話を提供することができる。
【００２１】
第６の発明に係る携帯電話の制御方法は、カメラ付き携帯電話において、他の通信装置と通信する通信ステップと、カメラにより照度を検出する検知ステップと、異なる種類の着信音を出力する出力ステップと、着信音を出力手段に出力するために使用するデータを記憶する記憶ステップと、検知ステップにおいて検出された照度に基づいて、音階および音量のいずれかが異なる着信音を出力するように、記憶ステップにおいて記憶されたデータを使用して出力ステップを制御する制御ステップとを含む。
【００２２】
第６の発明によると、制御ステップは、検知ステップにおいて検知された照度に基づいて、記憶ステップにおいて記憶されたデータを用いて出力ステップを制御して、着信音を鳴らす。これにより、カメラが検知した照度に基づいて、異なる着信音を出力することができる。カメラが照度を検出するので、照度を検出するためのデバイスを設ける必要がなくなる。照度に基づいて異なる着信音が出力されるので、ユーザは着信音に気づきやすくなる。その結果、軽量化、低コスト化などのニーズに反することなく、適切に着信を通知できる携帯電話の制御方法を提供することができる。
【００２３】
【発明の実施の形態】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２４】
図１を参照して、本実施の形態に係る携帯電話１００は、通信部１１８が受信した電波に基づき着信を検知し、かつ携帯電話１００の中の各ブロックを制御する制御部１０２と、制御部１０２に接続され、内蔵されたフォトダイオードにより照度を検出するとともに、画像を撮影するカメラ１０４と、携帯電話１００に着信があったことをユーザに通知するスピーカ１０６と、スピーカ１０６で鳴らす着信音のデータ、制御部１０２が実行するプログラムおよびそのプログラムの実行に必要なデータを記憶する記憶部１０８と、情報を表示する表示部１１０と、ユーザが電話番号などを入力するほか、携帯電話１００の操作に用いる操作部１１２と、ユーザが音声を入力するマイク１１４と、携帯電話１００を介してユーザと通話する者の音声を出力する通話用スピーカ１１６と、他の携帯電話と通信する通信部１１８とを含む。
【００２５】
図２を参照して、携帯電話１００で実行されるプログラムは、着信があったことをユーザに通知する処理に関し、以下のような制御構造を有する。
【００２６】
ステップ（以下、ステップをＳと略す）１００にて、制御部１０２は、他の通信装置から着信（音声通話、メール）したか否かを判断する。着信したと判断した場合（Ｓ１００にてＹＥＳ）、処理はＳ１０２へと移される。もしそうでないと（Ｓ１００にてＮＯ）、処理は終了する。
【００２７】
Ｓ１０２にて、制御部１０２は、記憶部１０８を参照し、着信音を自動的に切替える旨の設定がされているか否か判断する。設定がされていると判断した場合（Ｓ１０２にてＹＥＳ）、処理はＳ１０４へと移される。もしそうでないと（Ｓ１０２にてＮＯ）、処理はＳ１０６へと移される。Ｓ１０４にて、制御部１０２は、カメラ１０４に内蔵されたフォトダイオードを用いて照度を検知する。Ｓ１０６にて、制御部１０２は、通常の着信音として予め記憶部１０８に記憶されているデータを、スピーカ１０６を用いて出力し、通常の着信音を鳴らす。
【００２８】
Ｓ１０８にて、制御部１０２は、検知した照度が予め定められたしきい値を上回るか否か判断する。上回ると判断した場合（Ｓ１０８にてＹＥＳ）、処理はＳ１１０へと移される。もしそうでないと（Ｓ１０８にてＮＯ）、処理はＳ１０６へと移される。
【００２９】
Ｓ１１０にて、制御部１０２は、予め記憶部１０８に記憶されているデータを、スピーカ１０６を用いて出力し、通常の着信用に設定されている通常用着信音とは異なる着信音を鳴らす。異なる着信音とは、通常用着信音に使用されている個々の音の約８０％を、その音より高い音に代えた着信音である。あわせて、着信音をスピーカ１０６に出力させる際、音量を通常用着信音より大きくする。
【００３０】
以上のような構造およびフローチャートに基づく、携帯電話の動作について説明する。
【００３１】
制御部１０２は、着信したと判断した場合（Ｓ１００にてＹＥＳ）、記憶部１０８を参照し、着信音を自動的に切替える旨の設定がされているか否か判断する（Ｓ１０２）。設定がされていると判断した場合（Ｓ１０２にてＹＥＳ）、制御部１０２は、カメラ１０４の照度検出機能を用いて照度を検知する（Ｓ１０４）。
【００３２】
照度を検知すると、制御部１０２は、検知した照度が予め定められたしきい値を上回るか否か判断する（Ｓ１０８）。上回ると判断した場合（Ｓ１０８にてＹＥＳ）、制御部１０２は、予め記憶部１０８に記憶されているデータを、スピーカ１０６を用いて出力し、通常の着信用に設定されている通常用着信音とは異なる着信音を鳴らす（Ｓ１１０）。あわせて、着信音をスピーカ１０６に出力させる際、音量を通常用着信音より大きくする。
【００３３】
以上のようにして、本実施の形態に係る携帯電話は、軽量化、低コスト化などのニーズに反することなく、カバンなどの中で着信があっても、より気づきやすい、異なる着信音で着信が通知されるように、自動的に設定を切替えることができる、消費電力が少ない、携帯電話を提供することができる。
【００３４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本発明の実施の形態に係る携帯電話の制御ブロック図である。
【図２】本発明の実施の形態に係る着信があったことをユーザに通知する処理の制御の手順を示すフローチャートである。
【符号の説明】
１００  携帯電話、１０２  制御部、１０４  カメラ、１０６  スピーカ、１０８  記憶部、１１０  表示部、１１２  操作部、１１４  マイク、１１６  通話用スピーカ、１１８  通信部。
【図１】
2004159010.tif 000003
【図２】
2004159010.tif 000004